(57)【要約】【課題】  積み重ね状態での出荷時における絡み付きを防止しながらも、吊下げ用係止体の脱着を確実、容易に行う。【解決手段】  被吊下げ物Ａに索状体３を介して連結される吊下げ用係止体４の複数個を脱着自在に掛け止める掛け止め具であって、吊下げ用係止体４の係止部４Ａを脱着自在に掛止可能な複数の掛止部７と、前記掛止部７に掛止された吊下げ用係止体４の連結部４Ｂを抜き差し自在に差し込み状態で挾持保持する複数の差込み保持部８を形成してある。【選択図】        図１
2007229237.tif 000002
【特許請求の範囲】
【請求項１】
被吊下げ物に索状体を介して連結される吊下げ用係止体の複数個を脱着自在に掛け止める掛け止め具であって、
前記吊下げ用係止体の係止部を脱着自在に掛止可能な複数の掛止部と、前記掛止部に掛止された吊下げ用係止体の連結部を抜き差し自在に差し込み状態で挾持保持する複数の差込み保持部を形成してある吊下げ用係止体の掛け止め具。
【請求項２】
被吊下げ物に索状体を介して連結された吊下げ用係止体の複数個を脱着自在に掛け止める掛け止め具であって、
折り曲げ線に沿って折り曲げ可能な台紙のうち、前記折り曲げ線で区画される一方の台紙部に、前記吊下げ用係止体の係止部を脱着自在に掛止可能な複数の掛止部を形成するとともに、他方の台紙部には、折り曲げられた台紙の外面側から掛止部に掛止された吊下げ用係止体の連結部を抜き差し自在に差し込み状態で挾持保持する複数の差込み保持部を形成してある吊下げ用係止体の掛け止め具。
【請求項３】
前記掛止部が、前記吊下げ用係止体の係止部の厚みと同一又はそれよりも狭い幅で形成された凹状の切欠き部から構成されている請求項１又は２記載の吊下げ用係止体の掛け止め具。
【請求項４】
前記掛止部が、前記吊下げ用係止体の係止部の厚みよりも広い幅で形成された凹状の切欠き部から構成されている請求項１又は２記載の吊下げ用係止体の掛け止め具。
【請求項５】
前記差込み保持部が、前記吊下げ用係止体の連結部の差し込みに連れて押し開かれる複数の縁部分を形成する切込みから構成されている請求項１〜４のいずれか１項に記載の吊下げ用係止体の掛け止め具。
【請求項６】
前記切込みが、直線状の切込み線とそれの両端に連通するＶ字状切込み線から構成されている請求項５記載の吊下げ用係止体の掛け止め具。
【請求項７】
商品陳列用台紙に索状体を介して吊下げ用係止体を連結してある商品陳列具であって、
前記商品陳列用台紙に表面側又は裏面側に折り曲げ可能な舌片を形成し、この舌片に、商品陳列用台紙の表面又は裏面に沿う横向き姿勢にある吊下げ用係止体の係止部を脱着自在に掛止可能な掛止部と、前記掛止部に掛止された吊下げ用係止体の連結部を抜き差し自在に差し込み状態で挾持保持する差込み保持部を形成してある商品陳列具。
【発明の詳細な説明】
【技術分野】
【０００１】
本発明は、商品陳列具等の被吊下げ物に紐等の索状体を介して連結された吊下げ用係止体が積み重ね状態での出荷時に絡みつくことを防止するための技術に関する。
【背景技術】
【０００２】
一般に、被吊下げ物を出荷する場合には、多数の被吊下げ物を包装箱内に多段積みする方法が採られているため、多段積みされた被吊下げ物から索状体を介して連結された吊下げ用係止体が相互に絡みつき易く、搬入された包装箱内から被吊下げ物を取り出して陳列する際に手間取り易い問題がある（特許文献１参照）。
そのため、前記被吊下げ物に紐等の索状体を介して連結された吊下げ用係止体の絡み付きを防止する方法として、被吊下げ物の表面又は裏面に吊下げ用係止体を粘着テープで貼り付けるか、若しくは、被吊下げ物に形成した貫通孔に吊下げ用係止体の先端側を被吊下げ物の表面側から挿入係止させる方法が考えられる。
【０００３】
【特許文献１】特開２００５−１９８８５０号公報
【発明の開示】
【発明が解決しようとする課題】
【０００４】
前者の場合は、吊下げ用係止体が脱落しないように粘着テープを確実に貼り付ける必要があるため、その貼り付けに手間を要するとともに、粘着テープの粘着力を強くすると、テープ剥離にも手間取り易く、特に、被吊下げ物が商品陳列台紙である場合には、その表面に施された印刷面の一部が剥離する可能性がある。
【０００５】
また、後者の場合は、被吊下げ物の貫通孔に対して吊下げ用係止体の先端側を被吊下げ物の表面側から挿入するため、挿入保持された吊下げ用係止体の表裏方向での張り出し量が大きくなるため、被吊下げ物の積み重ね枚数が減少するばかりでなく、被吊下げ物の貫通孔から吊下げ用係止体が抜け落ち易い問題がある。
【０００６】
本発明は、上述の実状に鑑みて為されたものであって、その主たる課題は、積み重ね状態での出荷時における絡み付きを防止しながらも、吊下げ用係止体の脱着を確実、容易に行うことのできる吊下げ用係止体の掛け止め具及び商品陳列具を提供する点にある。
【課題を解決するための手段】
【０００７】
本発明による第１の特徴構成は、被吊下げ物に索状体を介して連結される吊下げ用係止体の複数個を脱着自在に掛け止める掛け止め具であって、
前記吊下げ用係止体の係止部を脱着自在に掛止可能な複数の掛止部と、前記掛止部に掛止された吊下げ用係止体の連結部を抜き差し自在に差し込み状態で挾持保持する複数の差込み保持部を形成した点にある。
【０００８】
上記特徴構成によれば、複数の被吊下げ物を積み重ね状態で梱包する際、各被吊下げ物に索状体を介して連結される吊下げ用係止体の係止部を、掛け止め具の掛止部に掛け止めたのち、その掛止箇所を支点として吊下げ用係止体の連結部を掛け止め具の差込み保持部に差し込むことにより、吊下げ用係止体の連結部を挾持状態で保持することができる。
【０００９】
また、搬入された包装箱内から被吊下げ物を取り出す場合でも、吊下げ用係止体の連結部を掛け止め具の差込み保持部から引き抜いたのち、吊下げ用係止体の係止部を掛け止め具の掛止部から離脱させるだけで済む。
【００１０】
従って、積み重ねられた被吊下げ物とは別体の掛け止め具に、各被吊下げ物に索状体を介して連結されている吊下げ用係止体を挾持保持するから、被吊下げ物の積み重ね枚数の減少を回避しながら出荷時における絡み付きを防止することができ、しかも、掛け止め具に対する吊下げ用係止体の脱着を確実、容易に行うことができる。
【００１１】
本発明による第２の特徴構成は、被吊下げ物に索状体を介して連結された吊下げ用係止体の複数個を脱着自在に掛け止める掛け止め具であって、
折り曲げ線に沿って折り曲げ可能な台紙のうち、前記折り曲げ線で区画される一方の台紙部に、前記吊下げ用係止体の係止部を脱着自在に掛止可能な複数の掛止部を形成するとともに、他方の台紙部には、折り曲げられた台紙の外面側から掛止部に掛止された吊下げ用係止体の連結部を抜き差し自在に差し込み状態で挾持保持する複数の差込み保持部を形成した点にある。
【００１２】
上記特徴構成によれば、複数の被吊下げ物を積み重ね状態で梱包する際、各被吊下げ物に索状体を介して連結される吊下げ用係止体の係止部を、折り曲げ線に沿ってＶ字状に折り曲げられている台紙のうち、折り曲げ線で区画される一方の台紙部に形成された掛止部に対して台紙の外面側から掛け止めたのち、その掛止箇所を支点として吊下げ用係止体の連結部を他方の台紙部に形成された差込み保持部に差し込むことにより、吊下げ用係止体の連結部を挾持状態で保持することができる。
【００１３】
しかも、この挾持保持状態では、一方の台紙部の掛止部に掛け止められた吊下げ用係止体の係止部の先端が他方の台紙部の内面側に向くから、挾持保持された吊下げ用係止体の係止部の先端に他物が引っ掛かることがない。
【００１４】
更に、Ｖ字状に折り曲げる前の台紙の掛止部と差込み保持部との間隔が最も広く、Ｖ字状に折り曲げるに連れて間隔が狭くなるため、Ｖ字状に折り曲げられている台紙の弾性復元力が掛止部と差込み保持部との間隔を広げる方向に作用し、吊下げ用係止体の係止部の掛止力及び連結部の差込み保持力を強化することができる。
【００１５】
また、搬入された包装箱内から被吊下げ物を取り出す場合でも、吊下げ用係止体の連結部を他方の台紙部の差込み保持部から引き抜いたのち、吊下げ用係止体の係止部を一方の台紙部の掛止部から離脱させるだけで済む。
【００１６】
従って、積み重ねられた被吊下げ物とは別体の掛け止め具の台紙に、各被吊下げ物に索状体を介して連結されている吊下げ用係止体を挾持保持するから、被吊下げ物の積み重ね枚数の減少を回避しながら出荷時における絡み付きを防止することができるとともに、掛け止め具の台紙に対する吊下げ用係止体の脱着を確実、容易に行うことができる。しかも、台紙をＶ字状に折り曲げることによって吊下げ用係止体の他物との引っ掛かりを回避しながらガタツキのない状態で強固に挾持保持することができる。
【００１７】
本発明による第３の特徴構成は、前記掛止部が、前記吊下げ用係止体の係止部の厚みと同一又はそれよりも狭い幅で形成された凹状の切欠き部から構成されている点にある。
【００１８】
上記特徴構成によれば、吊下げ用係止体の係止部を挾持状態で凹状切欠き部に掛止することができるとともに、前記掛止部が貫通孔から構成されている場合に比して脱着操作の容易化を図ることができる。
【００１９】
本発明による第４の特徴構成は、前記掛止部が、前記吊下げ用係止体の係止部の厚みよりも広い幅で形成された凹状の切欠き部から構成されている点にある。
【００２０】
上記特徴構成によれば、前記掛止部が貫通孔から構成されている場合に比して脱着操作の容易化を図ることができる。
特に、前記第２の特徴構成との組み合わせであれば、Ｖ字状に折り曲げられている台紙の弾性復元力が吊下げ用係止体の係止部の掛止力及び連結部の差込み保持力を強化することができるので、脱着操作の容易化を図りながらもガタツキのない状態で強固に挾持保持することができる。
【００２１】
本発明による第５の特徴構成は、前記差込み保持部が、前記吊下げ用係止体の連結部の差し込みに連れて押し開かれる複数の縁部分を形成する切込みから構成されている点にある。
【００２２】
上記特徴構成によれば、前記切込みの周縁に形成される複数の縁部分をもって吊下げ用係止体の連結部を差し込み状態で挾持保持することができるから、前記差込み保持部の構造の簡素化と製造コストの低廉化を図ることができる。
【００２３】
本発明による第６の特徴構成は、前記切込みが、直線状の切込み線とそれの両端に連通するＶ字状切込み線から構成されている点にある。
【００２４】
上記特徴構成によれば、例えば、前記吊下げ用係止体の連結部が差し込み可能な領域をＨ字状に切込み形成する場合に比して加工が容易で、しかも、連結部の差し込みに連れて押し開かれる切込みの縁部分が４つになるから、吊下げ用係止体の連結部の差し込み挾持操作を容易に行うことができる。
【００２５】
本発明による第７の特徴構成は、商品陳列用台紙に索状体を介して吊下げ用係止体を連結してある商品陳列具であって、
前記商品陳列用台紙に表面側又は裏面側に折り曲げ可能な舌片を形成し、この舌片に、商品陳列用台紙の表面又は裏面に沿う横向き姿勢にある吊下げ用係止体の係止部を脱着自在に掛止可能な掛止部と、前記掛止部に掛止された吊下げ用係止体の連結部を抜き差し自在に差し込み状態で挾持保持する差込み保持部を形成した点にある。
【００２６】
上記特徴構成によれば、複数の被吊下げ物を積み重ね状態で梱包する際、被吊下げ物に索状体を介して連結される吊下げ用係止体の係止部を、商品陳列用台紙の表面又は裏面に沿う横向き姿勢にした状態で商品陳列用台紙の舌片に形成された掛止部に掛け止めたのち、その掛止箇所を支点として吊下げ用係止体の連結部を舌片の差込み保持部に差し込むことにより、吊下げ用係止体の連結部を挾持状態で保持することができる。
【００２７】
また、被吊下げ物の舌片から吊下げ用係止体を取り出す場合でも、吊下げ用係止体の連結部を舌片の差込み保持部から引き抜いたのち、吊下げ用係止体の係止部を舌片の掛止部から離脱させるだけで済む。
【００２８】
従って、被吊下げ物の舌片に吊下げ用係止体を横向き姿勢で挾持保持するから、被吊下げ物の積み重ね枚数の減少を抑制しながら出荷時における絡み付きを防止することができ、しかも、舌片に対する吊下げ用係止体の脱着も確実、容易に行うことができる。
【発明を実施するための最良の形態】
【００２９】
〔第１実施形態〕
図１〜図６は、被吊下げ物の一例である商品陳列具Ａの構成部材のうち、商品Ｍを列状に陳列するための取付け部２を備えた商品陳列用台紙１の上端部に索状体の一例である吊り紐３を介して連結されている略Ｓ字状の吊下げ用係止体４の複数個を脱着自在に掛け止める掛け止め具Ｂを示し、長方形状の掛止用台紙５に、短辺方向の中央位置よりも一方の長辺側に変位した部位を長辺方向に沿って折り曲げるための溝状の折り曲げ線６をプレス形成し、この折り曲げ線６で区画される一方の幅狭側台紙部５Ａに、前記吊下げ用係止体４の係止部４Ａを脱着自在に掛止可能な複数の掛止部７を切欠き形成するとともに、他方の幅広側台紙部５Ｂには、折り曲げられた台紙５の外面側から掛止部７に掛止された吊下げ用係止体４の連結部４Ｂを抜き差し自在に差し込み状態で挾持保持する複数の差込み保持部８を形成してある。
【００３０】
前記吊下げ用係止体４としては、金属製や合成樹脂製等の種々の形態のものが存在するが、当該実施形態では、一本の金属線材を略Ｓ状に折り曲げて、一端側には開口する係止部４Ａを形成するとともに、他端側には閉ループ状又は略閉ループ状の連結部４Ｂを形成してある。
【００３１】
前記掛止部７は、前記吊下げ用係止体４の線材径（厚みの一例）Ｄよりも大なる幅Ｗ１で掛止用台紙５の長辺方向の複数箇所に短辺方向に沿って凹状（スリット状）に切欠き形成された切欠き部から構成されているとともに、その切欠き部７の奥側の基端面７ａが半円弧状に形成されている。
【００３２】
前記差込み保持部８は、前記吊下げ用係止体４の連結部４Ｂの差し込みに連れて押し開かれる複数の縁部分５ａを形成する切込みから構成されていて、連結部４Ｂの差し込みに連れて押し開かれた複数の切込み縁部分５ａによる挾持作用により、吊下げ用係止体４の連結部４Ｂを差し込み操作された位置で抜止め保持するように構成されている。
【００３３】
前記切込み８としては種々の形状のものが考えられるが、当該実施形態では、直線状の切込み線８ａとそれの両端に連通する外方広がりのＶ字状切込み線８ｂから構成されていて、前記両Ｖ字状切込み線８ｂの切込み長さが、吊下げ用係止体４の連結部４Ｂの差し込みに連れて開口形成される差し込み口の最大縦横寸法となるから、その寸法範囲内であれば吊下げ用係止体４の連結部４Ｂの線材径Ｄが少し変化した場合でも吊下げ用係止体４の連結部４Ｂを差し込み状態で確実に挾持保持することができる。
【００３４】
そして、図３に示すように、前記吊下げ用係止体４の連結部４Ｂが差込み保持部８に差し込み状態で挾持保持され、かつ、吊下げ用係止体４の係止部４Ａの内周面の中間部位がＶ字状に折り曲げられた掛止用台紙５の折り曲げ線６に外面側から接当している状態では、前記係止部４Ａの内周面のうち、該係止部４Ａの中心又は略中心Ｐを通る水平線（吊下げ方向に対して直行する線）Ｘと交差する箇所よりも先端側に変位した部位が掛止部７の半円弧状基端面７ａに係合し、掛止用台紙５がそれの弾性復元力で拡がることを抑えているため、掛止用台紙５の弾性復元力が前記差込み保持部８に対して連結部４Ｂを押し込む方向に作用すると同時に、掛止部７の半円弧状基端面７ａと係止部４Ａの内周面との係合力を強める方向に作用するため、前記吊下げ用係止体４の連結部４Ｂを差込み保持部８から引き抜き操作しない限り、係止部４Ａと掛止部７の半円弧状基端面７ａとの係合が解除されないように構成されている。
【００３５】
前記陳列用台紙１の取付け部２としては従来から種々の形態が存在するが、この実施形態では、前記陳列用台紙１に、弾性変形自在な合成樹脂製シート製の商品吊下げ体１２の両肩に形成された係止片１２ａを脱着自在に差し込み保持する左右一対のＥ字状の切込み１３と、前記商品吊下げ体１２の中央部に形成された吊下げ片１２ｂを商品Ｍに形成された吊下げ孔１０を通して台紙１背面側に挿通させるための貫通孔９を現出する折り込み片１１を形成して構成されている。
【００３６】
〔第２実施形態〕
図７は前記掛け止め具Ｂの別実施形態を示し、前記掛止部７が、前記吊下げ用係止体４の線材径（厚みの一例）Ｄと同一又はそれよりも小なる幅Ｗ２で掛止用台紙５の長辺方向の複数箇所に短辺方向に沿って凹状（スリット状）に切欠き形成された切欠き部から構成
されているとともに、その切欠き部７の奥側の基端面７ｂがコの字状に形成されている。
【００３７】
そのため、前記吊下げ用係止体４の係止部４Ａを挾持状態で凹状切欠き部７に掛止することができるとともに、前記掛止部７が貫通孔から構成されている場合に比して脱着操作の容易化を図ることができる。
【００３８】
更に、前記差込み保持部８は、前記吊下げ用係止体４の連結部４Ｂの差し込みに連れて押し開かれる複数の縁部分５ａを形成する切込みから構成されていて、連結部４Ｂの差し込みに連れて押し開かれた複数の切込み縁部分５ａによる挾持作用により、吊下げ用係止体４の連結部４Ｂを差し込み操作された位置で抜止め保持するように構成されている。
【００３９】
前記切込み８は、吊下げ用係止体４の線材径（厚みの一例）Ｄと同一又はそれよりも小なる幅Ｗ２で形成されたＨ字状切込み線８ｃから構成され、差し込まれた吊下げ用係止体４の連結部４Ｂを挾持する前記切込み縁部分５ａが上下一対形成されているとともに、この両切込み縁部分５ａの押し開きによって形成される差し込み口の周縁においても挾持するように構成されている。
【００４０】
また、前記掛止用台紙５には、前記掛止部７と差込み保持部８との対が５組（所定組数単位）ずつに簡易に分離することができるように、長辺方向の三箇所で短辺方向に沿って分離するためのミシン目（簡易分離手段の一例）１４が形成されている。
尚、その他の構成は、第１実施形態で説明した構成と同一であるから、同一の構成箇所には、第１実施形態と同一の番号を付記してそれの説明は省略する。
また、前記掛止用台紙５に、掛止部７と差込み保持部８との対が１組ずつ分離できるように、掛止部７の隣接間及び差込み保持部８の隣接間を通して短辺方向に沿って分離するためのミシン目（簡易分離手段の一例）１４を形成して実施してもよい。
【００４１】
〔第３実施形態〕
図８〜図１０は商品陳列用台紙１に索状体の一例である吊り紐３を介して吊下げ用係止体４を連結してある商品陳列具の別実施形態を示し、前記商品陳列用台紙１に表面側（裏面側であってもよい）に折り曲げ可能な長方形状の舌片２０を形成し、この舌片２０に、長辺方向の中央位置よりも一方の短辺側に変位した部位を短辺方向に沿って折り曲げるための溝状の折り曲げ線２１をプレス形成し、この折り曲げ線２１で区画される一方の幅狭側舌片部２０Ａには、商品陳列用台紙４の表面（又は裏面）に沿う横向き姿勢にある吊下げ用係止体４の係止部４Ａを脱着自在に掛止可能な掛止部２２を切欠き形成するとともに、他方の幅広側舌片部２０Ｂには、Ｖ字状に折り曲げられた舌片２０の外面側から掛止部２２に掛止された吊下げ用係止体４の連結部４Ｂを抜き差し自在に差し込み状態で挾持保持する差込み保持部２３を形成してある。
【００４２】
前記吊下げ用係止体４としては、金属製や合成樹脂製等の種々の形態のものが存在するが、当該実施形態では、一本の金属線材を略Ｓ状に折り曲げて、一端側には開口する係止部４Ａを形成するとともに、他端側には閉ループ状又は略閉ループ状の連結部４Ｂを形成してある。
【００４３】
前記掛止部２２は、前記吊下げ用係止体４の線材径（厚みの一例）よりも大なる幅で一方の幅狭側舌片部２０Ａに長辺方向に沿って凹状（スリット状）に切欠き形成された切欠き部から構成されているとともに、その切欠き部２２の奥側の基端面２２ａが半円弧状に形成されている。
【００４４】
前記差込み保持部２３は、前記吊下げ用係止体４の連結部４Ｂの差し込みに連れて押し開かれる複数の切込み縁部分２０ａを形成する切込みから構成されていて、連結部４Ｂの差し込みに連れて押し開かれた複数の切込み縁部分２０ａによる挾持作用により、吊下げ用係止体４の連結部４Ｂを差し込み操作された位置で抜止め保持するように構成されている。
【００４５】
前記切込み２３としては種々の形状のものが考えられるが、当該実施形態では、直線状の切込み線２３ａとそれの両端に連通する外方広がりのＶ字状切込み線２３ｂから構成されていて、前記両Ｖ字状切込み線２３ｂの切込み長さが、連結部４Ｂの差し込みに連れて開口形成される差し込み口の最大縦横寸法となるから、その寸法範囲内であれば吊下げ用係止体４の連結部４Ｂの線材径が少し変化した場合でも吊下げ用係止体４の連結部４Ｂを差し込み状態で確実に挾持保持することができる。
【００４６】
そして、図９、図１０に示すように、前記吊下げ用係止体４の連結部４Ｂが差込み保持部２３に差し込み状態で挾持保持され、かつ、吊下げ用係止体４の係止部４Ａの内周面の中間部位がＶ字状に折り曲げられた舌片２０の折り曲げ線２１に外面側から接当している状態では、前記係止部４Ａの内周面のうち、該係止部４Ａの中心又は略中心を通る水平線（吊下げ方向に対して直行する線）と交差する箇所よりも先端側に変位した部位が掛止部２２の半円弧状基端面２２ａに係合し、舌片２０がそれの弾性復元力で拡がることを抑えているため、舌片２０の弾性復元力が前記差込み保持部２３に対して連結部４Ｂを押し込む方向に作用すると同時に、掛止部２２の半円弧状基端面２２ａと係止部４Ａの内周面との係合力を強める方向に作用するため、前記吊下げ用係止体４の連結部４Ｂを差込み保持部２３から引き抜き操作しない限り、吊下げ用係止体４の係止部４Ａと掛止部２２の半円弧状基端面２２ａとの係合が解除されないように構成されている。
【００４７】
尚、商品陳列時には、前記舌片２０を商品陳列用台紙１からミシン目等の簡易分離手段によって又はハサミ等の切断工具によって分離するように構成してもよい。
【００４８】
〔その他の実施形態〕
（１）上述の各実施形態では、前記索状体３として吊り紐を例に挙げて説明したが、この構成に限定されるものではなく、チェーンや釣り糸或いは合成樹脂製の吊下げ体などを用いて実施してもよい。
（２）上述の第１実施形態では、前記掛け止め具Ｂの掛止用台紙５に、吊下げ用係止体４の係止部４Ａを脱着自在に掛止可能な複数の掛止部７と、前記掛止部７に掛止された吊下げ用係止体４の連結部４Ｂを抜き差し自在に差し込み状態で挾持保持する複数の差込み保持部８を形成するとともに、前記掛止部７と差込み保持部８との間で折り曲げ可能に構成したが、折り曲げ不能な合成樹脂製の偏平基材に、前記掛止部７と差込み保持部８とを一体形成してもよい。
（３）上述の第１実施形態では、前記掛け止め具Ｂの掛止用台紙５に、掛止部７と差込み保持部８との隣接間で二つ折りにするための溝状の折り曲げ線６を押圧形成したが、折り曲げ線６としてはミシン目等の簡易折り曲げ線であっても、印刷された折り曲げ指標線であってもよく、更に、前記掛止用台紙５を二つ折りにしたＶ状に予め成形しておいてもよい。
（４）前記掛止部７としては、吊下げ用係止体４の係止部４Ａを脱着自在に掛止可能なものであれば、如何なる形状に構成してもよい。
（５）前記差込み保持部８としては、掛止部７に掛止された吊下げ用係止体４の連結部４Ｂを抜き差し自在に差し込み状態で挾持保持することのできるものであれば、如何なる形状に構成してもよい。
（６）上述の実施形態では、前記被吊下げ物Ａとして商品陳列具を例に挙げて説明したが、商品展示以外の分野に於いて吊下げ状態で用いられる被吊下げ物にも適用することができる。
【図面の簡単な説明】
【００４９】
【図１】本発明の第１実施形態を示し、積み重ねられた商品陳列用台紙の吊下げ用係止体を掛け止め具に掛止したときの要部の斜視図
【図２】掛け止め具の展開された掛止用台紙の平面図
【図３】吊下げ用係止体を掛け止めたときの要部の断面図
【図４】吊下げ用係止体を掛け止めたときの要部の背面図
【図５】商品陳列具の要部の正面図
【図６】商品の吊下げ方法を示す要部の斜視図
【図７】本発明の第２実施形態を示し、掛け止め具の展開された掛止用台紙の平面図
【図８】本発明の第３実施形態を示し、商品陳列用台紙の斜視図
【図９】吊下げ用係止体を掛け止める前の要部の拡大斜視図
【図１０】吊下げ用係止体を掛け止めたときの要部の拡大斜視図
【符号の説明】
【００５０】
Ａ        被吊下げ物（商品陳列具）
Ｂ        掛け止め具
３        索状体（吊り紐）
４        吊下げ用係止体
４Ａ      係止部
４Ｂ      連結部
５        掛止用台紙
５Ａ      幅狭側台紙部
５Ｂ      幅広側台紙部
５ａ      切込み縁部分
６        折り曲げ線
７        掛止部（切欠き部）
８        差込み保持部（切込み）
８ａ      直線状切込み線
８ｂ      Ｖ字状切込み線
２０      舌片
２０Ａ    幅狭側舌片部
２０Ｂ    幅広側舌片部
２０ａ    切込み縁部分
２１      折り曲げ線
２２      掛止部（切欠き部）
２３      差込み保持部（切込み）
２３ａ    直線状切込み線
２３ｂ    Ｖ字状切込み線
【図１】
2007229237.tif 000003
【図２】
2007229237.tif 000004
【図３】
2007229237.tif 000005
【図４】
2007229237.tif 000006
【図５】
2007229237.tif 000007
【図６】
2007229237.tif 000008
【図７】
2007229237.tif 000009
【図８】
2007229237.tif 000010
【図９】
2007229237.tif 000011
【図１０】
2007229237.tif 000012